(57)【要約】【課題】  多種の形状を有する複数個の形状片１１ａ乃至１１ｇから構成され、各形状片を任意に組み合わせ、動物、植物、乗り物や建造物などの多様な形体を製作できるようにしたタングラムを、水平面以外の場所でも利用できるようにする。【解決手段】  各形状片１１ａ乃至１１ｇの裏面に、再剥離性を有する粘着剤層を設ける。【選択図】  図１  
0003103066.tif 000002
【実用新案登録請求の範囲】
【請求項１】
多種の形状を有する複数個の形状片から構成されるタングラムにおいて、各形状片が、裏面に再剥離性を有する粘着剤層を設けたシート材からなることを特徴とするタングラム。
【請求項２】
上記粘着剤層を、上記シート材の裏面全面に亘って点在させて設けたことを特徴とする請求項１記載のタングラム。
【請求項３】
上記形状片は、同形のものを複数個積層して構成したものであることを特徴とする請求項１または請求項２記載のタングラム。
【請求項４】
上記形状片を、筆記性を有する紙またはフィルムからなるシート材から構成したことを特徴とする請求項１乃至請求項３のいずれかに記載のタングラム。
【考案の詳細な説明】
【技術分野】
【０００１】
本考案は、多種の形状を有する複数個の形状片を任意に組み合わせて、動物、植物、乗り物や建造物などの多様な形体を表現できるようにしたタングラムに関する。
【背景技術】
【０００２】
玩具であるタングラムは、数理パズルとも呼ばれ、例えば正方形のものを、三角形、四角形などの多角形や円形を有する複数個の形状片に分割し、各形状片の全部または一部を任意に配置し、組み合せて、動物、植物、乗り物や建造物など、比較的易しいレベルから難解なレベルまでの多様な形体を表現できるようにしている（特許文献１）。
【０００３】
ここで、各形状片を組み直して所定の形体を製作するとき、各形状片が扱い難いと利便性が悪い。このため、従来のタングラムは、所定の厚さを有する木材やプラスティックなどから形成されていた。
【特許文献１】実開平５−９５８９号公報（例えば，請求項１の記載）。
【考案の開示】
【考案が解決しようとする課題】
【０００４】
しかしながら、上記のものは、机などの水平面上でのみ所定の形体を製作することが意図されていたため、壁や柱などの垂直面、斜面、湾曲面などの水平面以外の立体面で各形状片を組み直して所定の形体を製作できず、また、製作した所定の形体は水平面上に載置されているだけであるため、手が触れたり、自動車や鉄道列車中では走行中の振動により、所定の形体が容易にくずれるという問題があった。
【０００５】
そこで、本考案の課題は、水平面以外の場所でも所定の形体を製作でき、この製作した所定の形体をくずれ難くしてそのまま残すことができるようにしたタングラムを提供することにある。
【課題を解決するための手段】
【０００６】
上記課題を解決するために、本考案のタングラムは、多種の形状を有する複数個の形状片から構成されるタングラムにおいて、各形状片が、裏面に再剥離性を有する粘着剤層を設けたシート材からなることを特徴とする。
【０００７】
本考案によれば、各形状片の裏面に、再剥離性を有する粘着剤層を設けたので、机などの平面上だけでなく、壁や柱などの水平面以外の立体面に、各形状片を貼り付けて、動物、植物、乗り物や建造物などの所定の形体を製作でき、その上、製作した所定の形体がくずれ難く、そのまま残すことができる。
【０００８】
この場合、上記粘着剤層を、上記シート材の裏面全面に亘って点在させて設けておけば、各形状片を貼り付けて所定の形体を製作した場合に、貼り付けたシート材の外周部がめくれ上がることを防止できる。
【０００９】
また、上記形状片は、同形のものを複数個積層して構成したものとすれば、各形状片が所定の厚さを有することで、面上で形体を製作するときに各形状片の扱いが容易になって利便性が良い。また、各形状片の積層した枚数だけ、各シート材が同じ形状の形状片を構成することで形状片自体の数が実質的に増加することになり、同じシート材を複数枚使用したりして、より難解な形体を表現できる。
【００１０】
さらに  上記形状片を、筆記性を有するシート材から構成しておけば、各形状片を組み直して所定の形体を製作した後、そのものに、文字を書いたり、色や模様を付すことができてよい。その上、各形状片が多様な形を有する付箋としても利用できる。この場合、各形状片のシート材の何枚かを付箋として使っても、残ったものを形状片として使える。その上、各シート材を屈曲させて、粘着剤層を設けた裏面を貼り合わせて書物用の検索ラベルとして利用することもできる。
【００１１】
尚、上記シート材は、例えば、紙またはフィルムとすればよい。この場合、紙やフィルムに所定の文字や模様を予め印刷しておくことができる。
【考案の効果】
【００１２】
以上説明したように、本考案のタングラムは、水平面以外の場所でも所定の形体を製作でき、この製作した所定の形体をくずれ難くしてそのまま残すことができ、また、再剥離性を有する粘着剤を使用しているので、貼り直しや形体作製が容易に行えるという効果を奏する。
【考案を実施するための最良の形態】
【００１３】
図１及び図２を参照して説明すれば、１は、本考案のタングラムである。このタングラム１は、例えば一片が１１ｃｍの正方形であって筆記性を有するシート材１１を、１０枚積層した後、多種の小片である形状片に分割して構成されている。この場合、シート材１１としては、例えば、坪量５０〜２００ｇ／ｍ２の上質紙、コート紙、ボール紙等や表面に筆記適性を有する厚さ２０〜３００μｍの合成樹脂フィルム等が用いられる。
【００１４】
図２に示すように、分割される前の各シート材１１の裏面には、再剥離性を有する粘着剤層１２が設けられ、この粘着剤層１２によって、上下に重なり合う各シート材１１が相互に密着している。再剥離性を有する粘着剤としては、公知のものが使用され、例えばアクリル系の粘着剤があげられる。再剥離性を有する粘着剤を使用することで、貼り直しや形体作製が容易に行える。
【００１５】
また、粘着剤層１２は、紙１１の裏面全面に亘って所定の間隔を置いて点在させて設けられている。本実施の形態では、各粘着剤層１２が、円形で約１ｍｍの直径を有し、厚さは２０〜１００μｍであり、各粘着剤層１２相互の間の距離が約５ｍｍの間隔に設定されている。この場合、例えば、上記径及び距離で複数の開口を設けた版型を用い、この版型の各開口を粘着剤が通過することでシート材１１の裏面にパターンで転写させて粘着剤層１２が設けられる。これにより、シート材１１を積層した状態や、後述するように各形状片のシート材１１を貼り付けて所定の形体を製作した場合に、シート材１１の外周部、特に角部においてシート材１１がめくれ上がることを防止できる。
【００１６】
動物、植物、乗り物や建造物などの多様な形体を製作できるようにするため、積層されたシート材１１は、その一例として次のように分割されている。即ち、正方形の対角線に沿って先ず二分割し、この二分割した一方を、二等分して２個の三角形形状片１１ａ、１１ｂに分割している。また、二分割した他方を、各等辺の中点を結ぶ線に沿って分割して１個の三角形形状片１１ｃと台形の小片に分割し、この台形の小片を高さ方向の線に沿って二等分し、この二等分した一方を三角形形状片１１ｄ、長方形形状片１１ｅに分割すると共に、他方を三角形形状片１１ｆと平行四辺形形状片１１ｇに分割している。
【００１７】
これにより、図３（ａ）及び（ｂ）に示すように、シート材１１を積層した状態の各形状片１１ａ乃至１１ｇの全部を任意の順序で組み直して、例えば異なる型の鳥の形体を製作できる。この場合、シート材１１を積層したものであるため、形体を製作するときに各形状片１１ａ乃至１１ｇの扱いが容易になって利便性が良い。
【００１８】
また、各シート材１１の裏面には、その全面に亘って点在させて再剥離性を有する粘着剤層１２を設けているので、図４（ａ）及び（ｂ）に示すように、ノートや台紙などの水平面上だけではなく、壁や柱などの水平面以外の立体面１３において、各形状片１１ａ乃至１１ｇを組み直して貼り付け、例えばきつねやあひるの形体を製作でき、この製作した形体をそのまま残すことができる（図４（ａ）参照）。この場合、例えば大きな三角形形状片１１ａのシート材１１上に、それより小さな三角形形状片１１ｄのシート材１１を重ねるようにして動物の形体を製作することもできる（図４（ｂ）参照）。
【００１９】
さらに、各形状片１１ａ乃至１１ｇが筆記性を有するシート材であるため、鉛筆や色鉛筆等によって各形状片１１ａ乃至１１ｇを組み直して製作した形体に文字を書いたり、色や模様を付すことができる（図４（ａ）及び図４（ｂ）参照）。この場合、消しゴムなどでその文字等を消したり、各形状片１１ａ乃至１１ｇのうち、文字等を書いたシート材１１を剥離すれば、その形状片１１ａ乃至１１ｇを新たなものとできる。従って、本考案のタングラム１は、文字を書いたり、色や模様を付すことに適している。
【００２０】
他方、積層した枚数だけ、各形状片１１ａ乃至１１ｇのシート材１１が同じ形状の形状片１１ａ乃至１１ｇを構成することで形状片１１ａ乃至１１ｇ自体の数が実質的にそれぞれ増加することになり、各形状片１１ａ乃至１１ｇのシート材１１を剥離して形体を製作する場合、同じシート材１１を複数使用したりして、より複雑な形体を表現できる（図４（ｂ）参照）。
【００２１】
また、形状片１１ａ乃至１１ｇの各々は多種の形を有する付箋としても利用でき、各形状片１１ａ乃至１１ｇのシート材１１の何枚かを付箋として使っても、残ったものを形状片１１ａ乃至１１ｇとして使える。また、粘着剤層１２を、形状片１１ａ乃至１１ｇの裏面全面に亘って点在させて設けているので、粘着剤層１２を設けた裏面を貼り合わせて書物用の検索ラベルとして利用することもできる。
【００２２】
尚、本実施の形態では、正方形のシート材１１を複数個の多角形形状片１１ａ乃至１１ｇに分割したものについて説明したが、これに限定されるものではなく、円形の形状片が含まれるように分割することもでき、また、円形のシート材１１（図示せず）から複数の形状片に分割してもよい。また、シート材１１は、筆記性を有するフィルムなどでもよい。
【００２３】
図５に示すように、タングラム使用者が、任意に複数個の形状片に分割できるように、正方形のシート材１１に切取り線１４を設けるようにしてもよい。この場合、製作しようとする形体の難易度に応じて、タングラム使用者の意図で、切取り線１３に沿って任意の数の形状片に分割した後、多様な形体が表現される。
【図面の簡単な説明】
【００２４】
【図１】本考案のタングラムを説明する斜視図。
【図２】粘着剤の配設を説明する図。
【図３】（ａ）及び（ｂ）は、各形状片を組み直して製作した形体を説明する図。
【図４】（ａ）及び（ｂ）は、各形状片を組み直して製作した形体を説明する図。
【図５】本考案のタングラムの変形例を説明する図。
【符号の説明】
【００２５】
１  タングラム
１１  シート材
１１ａ乃至１１ｇ  形状片
１２  粘着剤層
１３  立体面
１４  切取り線
【図１】
0003103066.tif 000003
【図２】
0003103066.tif 000004
【図３】
0003103066.tif 000005
【図４】
0003103066.tif 000006
【図５】
0003103066.tif 000007